(57)【要約】【課題】電力供給を再開する際，電力供給を遮断する前の電力供給状態を再現できる画像処理装置を提供すること。【解決手段】画像処理装置は，画像処理に関する入力ないし出力あるいは両方を行う入出力部と，一次電源から得られる電力を，電力を供給するための供給回路を介して入出力部に供給する供給部と，一次電源からの電力供給が遮断される前の，入出力部への電力供給状態を記憶する記憶部と，一次電源からの電力供給が遮断された状態から電力供給が開始される際，記憶部に記憶されている電力供給状態に従って供給回路を介して入出力部へ電力を供給するか否かを判断する判断部と，判断部が入出力部へ電力を供給すると判断した場合には，供給部に入出力部へ電力を供給させ，判断部が入出力部へ電力を供給しないと判断した場合には，供給部に入出力部へ電力を供給させない制御部とを備える。【選択図】図５
2014024302.tif 000002
【特許請求の範囲】
【請求項１】
画像処理に関する入力ないし出力あるいは入力及び出力を行う入出力部と，
一次電源から得られる電力を，電力を供給するための供給回路を介して前記入出力部に供給する供給部と，
前記一次電源からの電力供給が遮断される前の，前記入出力部への電力供給状態が記憶される記憶部と，
前記一次電源からの電力供給が遮断された状態から電力供給が開始される際，前記記憶部に記憶されている電力供給状態に従って前記供給回路を介して前記入出力部へ電力を供給するか否かを判断する判断部と，
前記判断部が前記入出力部へ電力を供給すると判断した場合には，前記供給部に前記入出力部へ電力を供給させ，前記判断部が前記入出力部へ電力を供給しないと判断した場合には，前記供給部に前記入出力部へ電力を供給させない制御部と，
を備えることを特徴とする画像処理装置。
【請求項２】
請求項１に記載する画像処理装置において，
前記供給部から電力が供給される前記入出力部の組み合わせが異なる複数のモードがあり，
前記記憶部は，前記電力供給状態として，前記複数のモードのうちの１つが記憶されることを特徴とする画像処理装置。
【請求項３】
請求項２に記載する画像処理装置において，
前記モードには，前記入出力部に電力が供給され，前記画像処理の実行を待機する待機モードと，前記入出力部に電力が供給されず，前記画像処理の実行が制限される省電力モードとがあることを特徴とする画像処理装置。
【請求項４】
請求項１から請求項３のいずれか１つに記載する画像処理装置において，
前記入出力部は，
画像を印刷する印刷部と，
画像を読み取る読取部と，
を備え，
前記供給回路は，前記印刷部と前記読取部とに対し電力を供給し，
前記記憶部は，前記電力供給状態として，前記供給部から電力が供給される前記印刷部と前記読取部との組み合わせをも記憶され，
前記判断部は，前記記憶部に記憶されている前記印刷部と前記読取部との組み合わせに従って，前記印刷部と前記読取部とに対して電力を供給するか否かを判断することを特徴とする画像処理装置。
【請求項５】
請求項１から請求項４のいずれか１つに記載する画像処理装置において，
前記一次電源とは別の電源である予備電源を備え，
前記記憶部は，前記予備電源によって電力の供給を受けるバックアップ領域であることを特徴とする画像処理装置。
【請求項６】
請求項１から請求項４のいずれか１つに記載する画像処理装置において，
前記記憶部は，不揮発性メモリであることを特徴とする画像処理装置。
【請求項７】
請求項６に記載する画像処理装置において，
前記一次電源とは別の電源である予備電源と，
前記予備電源によって電力の供給を受けるバックアップ領域であり，前記一次電源からの電力供給が遮断される前の，前記入出力部への電力供給状態が記憶される第２記憶部と，
を備え，
前記判断部は，前記バックアップ領域に電力供給状態が記憶されている場合には当該電力供給状態に従って判断し，前記バックアップ領域に電力供給状態が記憶されていない場合には前記不揮発性メモリに記憶されている電力供給状態に従って判断することを特徴とする画像処理装置。
【請求項８】
請求項７に記載する画像処理装置において，
前記一次電源からの電力供給が遮断されていない間，定期的にあるいは電力供給状態が移行する度に，電力供給状態を前記不揮発性メモリに書き込む一次書込部と，
前記一次電源からの電力供給が遮断されたことを検知する検知部と，
前記検知部による検知後，前記予備電源から電力供給を受けて，前記不揮発性メモリに記憶されている電力供給状態を前記バックアップ領域に記憶する二次書込部と，
を備えることを特徴とする画像処理装置。
【請求項９】
請求項１から請求項７のいずれか１つに記載する画像処理装置において，
前記一次電源からの電力供給が遮断されていない間，電力供給状態が移行する度に移行後の電力供給状態を前記記憶部に書き込む移行書込部を備えることを特徴とする画像処理装置。
【請求項１０】
請求項１から請求項７のいずれか１つに記載する画像処理装置において，
前記一次電源からの電力供給が遮断されていない間，定期的に電力供給状態を前記記憶部に書き込む定期書込部を備えることを特徴とする画像処理装置。
【発明の詳細な説明】
【技術分野】
【０００１】
本発明は，画像処理装置に関する。さらに詳細には，電力の供給先の組み合わせが異なる複数の電力供給状態を有し，各構成要素への電力供給が制御される画像処理装置に関するものである。
【背景技術】
【０００２】
従来から，電力の供給先の組み合わせが異なる複数の電力供給状態を有し，各構成要素への供給電力が制御される画像処理装置がある。例えば，電源オン状態と電源オフ状態とを有する画像処理装置であって，電源オフ指令を受け付けたことや，無操作状態が所定時間以上継続したことを条件に，電源オン状態から電源オフ状態に切り替えるものがある。電源オン状態とは，自装置の構成要素に電力が供給された状態であり，電源オフ状態とは，電源オン指令を受け付ける要素にのみ電力が供給され，その他の要素には電力が供給されない状態である。
【０００３】
具体的に電力供給を制御する技術には，例えば特許文献１に開示されている技術がある。特許文献１に開示されている画像形成装置は，電力供給が遮断される前に，電源スイッチからの信号を不揮発性メモリに記憶し，電源供給が再開された際に，不揮発性メモリに記憶した情報に基づいて，電源スイッチの操作等の正式なシャットダウン処理を行った後で電力供給が遮断された場合と，停電等の正式なシャットダウン処理を行わずに電力供給が遮断された場合とに分けて，復帰時の動作を制御する。
【先行技術文献】
【特許文献】
【０００４】
【特許文献１】特開２００９−２５１２７５号公報
【発明の概要】
【発明が解決しようとする課題】
【０００５】
しかしながら，前記した従来の技術には，次のような問題があった。すなわち，従来の技術では，停電等の商用電源からの電力供給が遮断された場合，その復旧時，電力供給が遮断される前の状態が電源オン状態であっても電源オフ状態であっても，電源オン状態で復帰する。そのため，電源オフ状態で電力供給が遮断された場合においては，電力供給を遮断する前の電力供給状態を再現できていない。
【０００６】
本発明は，前記した従来の技術が有する問題点を解決するためになされたものである。すなわちその課題とするところは，電力供給を再開する際，電力供給を遮断する前の電力供給状態を再現できる画像処理装置を提供することにある。
【課題を解決するための手段】
【０００７】
この課題の解決を目的としてなされた画像処理装置は，画像処理に関する入力ないし出力あるいは入力及び出力を行う入出力部と，一次電源から得られる電力を，電力を供給するための供給回路を介して前記入出力部に供給する供給部と，前記一次電源からの電力供給が遮断される前の，前記入出力部への電力供給状態が記憶される記憶部と，前記一次電源からの電力供給が遮断された状態から電力供給が開始される際，前記記憶部に記憶されている電力供給状態に従って前記供給回路を介して前記入出力部へ電力を供給するか否かを判断する判断部と，前記判断部が前記入出力部へ電力を供給すると判断した場合には，前記供給部に前記入出力部へ電力を供給させ，前記判断部が前記入出力部へ電力を供給しないと判断した場合には，前記供給部に前記入出力部へ電力を供給させない制御部とを備えることを特徴としている。
【０００８】
本明細書に開示される画像処理装置は，一次電源からの電源供給が遮断される前の電力供給状態を記憶部に記憶している。そして，一次電源からの電力供給が遮断された状態（電源遮断状態）から一次電源からの電力供給が開始される際には，その記憶された電力供給状態に従って，電力の供給先を判断する。つまり，本画像処理装置は，一次電源の復旧後に必ず電源オン状態となるわけではない。従って，電源供給が遮断される前の電力供給状態を再現できる。
【０００９】
画像処理としては，例えば，印刷処理や画像読取処理が該当する。一次電源は，装置外の電源であり，例えば，商用電源が該当する。また，入出力部には，画像処理を行う構成の他に，例えば，外部装置とのインターフェースとなる通信部，ユーザ操作を受け付ける操作部が該当する。
【００１０】
また，本明細書に開示される画像処理装置は，前記供給部から電力が供給される前記入出力部の組み合わせが異なる複数のモードがあり，前記記憶部は，前記電力供給状態として，前記複数のモードのうちの１つを記憶するとよい。このようにすれば，電力供給状態として，電力供給を行わない電源オフ状態を含む複数のモードを再現することができ，電源供給が遮断される前の詳細な電力供給状態をより正確に再現できる。なお，モードとしては，電源オン状態では，例えば，全ての構成要素に電力が供給される待機モード，特定の構成要素に電力を供給する省電力モード等がある。また，電源オフ状態は，電源スイッチの検出装置にのみ電力を供給するモードである。
【００１１】
さらに，前記モードには，前記入出力部に電力が供給され，前記画像処理の実行を待機する待機モードと，前記入出力部に電力が供給されず，前記画像処理の実行が制限される省電力モードとがあるとよい。このようにすれば，省電力モードでは，例えば，電力消費量が特に多い箇所への電力の供給を停止した状態とすることができる。画像処理部の電力供給状態を詳細に再現することで，消費電力の低減が期待できる。そのために，判断部は，待機モードでは，少なくとも入出力部に電力を供給し，省電力モードでは，入出力部の少なくとも一部に電力を供給しないと判断することが好ましい。
【００１２】
さらに，前記入出力部は，画像を印刷する印刷部と，画像を読み取る読取部とを備え，前記供給回路は，前記印刷部と前記読取部とに対し電力を供給し，前記記憶部は，前記電力供給状態として，前記供給部から電力が供給される前記印刷部と前記読取部との組み合わせをも記憶し，前記判断部は，前記記憶部に記憶されている前記印刷部と前記読取部との組み合わせに従って，前記印刷部と前記読取部とに対して電力を供給するか否かを判断するとよい。このようにすれば，入出力部の機能ごとに電力の供給をすることができる画像処理装置において，一次電源からの電力供給が遮断される前に電力が供給されていなかった機能に対しては，一次電源からの電力供給が再開された後も電力が供給されない。そのため，消費電力を低減することができる。
【００１３】
さらに，本明細書に開示される画像処理装置は，前記一次電源とは別の電源である予備電源を備え，前記記憶部は，前記予備電源によって電力の供給を受ける記憶領域であるバックアップ領域であるとよい。バックアップ領域からの情報の読み出しは，短時間で容易にできる。そこで，バックアップ領域に電力供給状態を記憶することで，一次電源からの電力供給を再開する際，早期に入出力部の各構成要素への電力供給の有無を判断できる。予備電源としては，例えば，キャパシタやバッテリが該当する。
【００１４】
さらに，前記記憶部は，不揮発性メモリであるとよい。不揮発性メモリに記憶することとすれば，一次電源からの電力供給が遮断されている状態が長期間続いても，電力供給状態を確実に記憶することができる。
【００１５】
さらに，本明細書に開示される画像処理装置は，前記一次電源とは別の電源である予備電源と，前記予備電源によって電力の供給を受けるバックアップ領域であり，前記一次電源からの電力供給が遮断される前の，前記入出力部への電力供給状態が記憶される第２記憶部とを備え，前記判断部は，前記バックアップ領域に電力供給状態が記憶されている場合には当該電力供給状態に従って判断し，前記バックアップ領域に電力供給状態が記憶されていない場合には前記不揮発性メモリに記憶されている電力供給状態に従って判断するとよい。
【００１６】
不揮発性メモリは，一次電源からの電力供給の再開時にメモリのサイズ判定等の初期動作が必要であり，利用可能となるまでに時間がかかる。バックアップ領域には，予備電源によって電力の供給が継続されているため，初期動作は不要であり，即時に利用可能である。従って，バックアップ領域から読み出す方が不揮発性メモリから読み出すよりも短時間で電力供給状態を取得できるため，バックアップ領域を優先すれば起動に掛かる時間が短いので好ましい。バックアップ領域に情報が無かった場合に限り，不揮発性メモリから読み出せば，電力の供給先を判断できなくなるおそれはない。
【００１７】
さらに，本明細書に開示される画像処理装置は，前記一次電源からの電力供給が遮断されていない間，定期的にあるいは電力供給状態が移行する度に，電力供給状態を前記不揮発性メモリに書き込む一次書込部と，前記一次電源からの電力供給が遮断されたことを検知する検知部と，前記検知部による検知後，前記予備電源から電力供給を受けて，前記不揮発性メモリに記憶されている電力供給状態を前記バックアップ領域に記憶する二次書込部とを備えるとよい。通常は不揮発性メモリに情報を保持しておき，一次電源からの電力供給が遮断された場合バックアップ領域にコピーすることとすれば，バックアップ領域と不揮発性メモリとの両方に電力供給状態を記憶する場合であっても，処理効率が良い。なお，検知部および二次書込部は，予備電源からの電力によって動作することが好ましい。
【００１８】
さらに，本明細書に開示される画像処理装置は，前記一次電源からの電力供給が遮断されていない間，電力供給状態が移行する度に移行後の電力供給状態を前記記憶部に書き込む移行書込部を備えるとよい。電力供給の状態が移行したときに書き込むこととすれば，書き込みの回数が少なく，最新の電力供給状態を確実に記憶できる。
【００１９】
さらに，本明細書に開示される画像処理装置は，前記一次電源からの電力供給が遮断されていない間，定期的に電力供給状態を前記記憶部に書き込む定期書込部を備えるとよい。定期的に書き込む処理を行うこととすれば，制御が簡単である。
【発明の効果】
【００２０】
本発明によれば，電力供給を再開する際，電力供給を遮断する前の電力供給状態を再現できる画像処理装置が実現される。
【図面の簡単な説明】
【００２１】
【図１】実施の形態にかかるＭＦＰの外観を示す斜視図である。
【図２】ＭＦＰの電気的構成を示すブロック図である。
【図３】電力供給状態および動作モードの関係を示す説明図である。
【図４】電力供給状態および動作モードにおける電力供給箇所およびスイッチの状態を示す説明図である。
【図５】電源回復処理を示すフローチャートである。
【図６】動作モード移行処理を示すフローチャートである。
【図７】動作モード移行処理の続きを示すフローチャートである。
【発明を実施するための形態】
【００２２】
以下，本発明にかかる画像処理装置を具体化した実施の形態について，添付図面を参照しつつ詳細に説明する。本形態は，画像読取機能および画像形成機能を備えた複合機（ＭＦＰ：Ｍｕｌｔｉ  Ｆｕｎｃｔｉｏｎ  Ｐｅｒｉｐｈｅｒａｌ ）に本発明を適用したものである。
【００２３】
［ＭＦＰの構成］
本形態のＭＦＰ１００は，図１に示すように，用紙に画像を印刷する画像形成部１と，原稿の画像を読み取る画像読取部２とを備えている。画像形成部１は，画像読取部２の下部に設けられている。本形態のＭＦＰ１００の画像形成部１は，電子写真方式のカラー印刷が可能なものである。あるいは，画像形成部１は，モノクロ印刷専用の装置であってもよい。
【００２４】
画像読取部２は，原稿を読み取るためのものであり，イメージセンサを有している。イメージセンサは，搬送装置により搬送される原稿を読み取るようにしても，キャリアにより移動させられながら，透明なガラスに載置されている原稿を読み取るようにしてもよい。画像形成部１は，印刷部及び入出力部の一例である。画像読取部２は，読取部及び入出力部の一例である。
【００２５】
また，ＭＦＰ１００は，その前面側に，各種のボタン（例えば，スタートキー，ストップキー，テンキーの各ボタン）によって構成されるボタン群４１，液晶ディスプレイからなる表示部４２を備えた操作パネル４０を備えている。このボタン群４１や表示部４２により，動作状況の表示やユーザによる操作の入力が可能になっている。
【００２６】
操作パネル４０の近傍には，ユーザによるＭＦＰ１００の主電源をオンまたはオフする操作を受け付けるための電源スイッチ４５が設けられている。なお，電源スイッチ４５は，機械的に回線を切断するスイッチではない。また，電源スイッチ４５は，ユーザによる押下操作を受けたときに電気的な信号を発するキーの一種である。また，電源スイッチ４５は，操作パネル４０と電源系統が異なり，後述する切替スイッチ５４のオンまたはオフと関係なく，電力が供給される。
【００２７】
また，ＭＦＰ１００は，画像形成部１と画像読取部２とを含む各部へ電力を供給する供給回路である低圧電源ユニット５を有している。低圧電源ユニット５にはプラグ５１が接続されている。例えば商用電力のソケット等にプラグ５１が差し込まれることにより，低圧電源ユニット５は，一次電源から電力の供給を受ける。
【００２８】
［ＭＦＰの電気的構成］
続いて，ＭＦＰ１００の電気的構成について説明する。ＭＦＰ１００は，図２に示すように，メイン基板３と低圧電源ユニット５とを有している。メイン基板３には，ＲＯＭ３２，ＲＡＭ３３，Ｅ２ＰＲＯＭ３５，キャパシタ３６，ＡＳＩＣ３０が搭載されている。また，ＡＳＩＣ３０には，ＣＰＵ４４，ネットワークインターフェース３７，ＵＳＢインターフェース３８が搭載されている。
【００２９】
ＲＯＭ３２には，画像形成部１等を制御するための各種制御プログラムや各種設定，初期値等が記憶されている。ＲＡＭ３３は，各種制御プログラムが読み出される作業領域として，あるいは各種データを一時的に記憶する記憶領域として利用される。Ｅ２ＰＲＯＭ３５は，不揮発性メモリであり，各種設定等を保存する記憶領域として利用される。Ｅ２ＰＲＯＭ３５は，記憶部の一例である。
【００３０】
キャパシタ３６は，電荷を一時的に蓄えることができ，一次電源からの電力供給とは別の予備電源として機能する。キャパシタ３６は，予備電源の一例である。ただし，キャパシタ３６が供給できる電力量には限界があるとともに，キャパシタ３６は時間の経過に伴ってある程度放電する。従って，一次電源からの電力供給が遮断された状態では，キャパシタ３６による電力供給は，時間の経過によって停止する。なお，一次電源からの電力供給が継続している間は，キャパシタ３６への充電が適宜行われる。
【００３１】
ＣＰＵ４４は，ＭＦＰ１００における画像読取機能，画像形成機能等の各種機能を実現するための演算を実行し，画像処理制御の中枢となるものである。ＣＰＵ４４は，ＲＯＭ３２から読み出したプログラムに従って，その処理結果をＲＡＭ３３に記憶させながら，ＭＦＰ１００の各構成要素を制御する。ＣＰＵ４４は，例えば，ＲＯＭ３２から読み出した画像処理プログラムに従って，画像読取部２にて読み取った画像データに画像処理を施し，画像形成部１に印刷させる。
【００３２】
ＡＳＩＣ３０は，ＭＦＰ１００の各構成への電力の供給を制御する。ＣＰＵ４４は，電力の供給先の判断処理，及び，供給すると判断した箇所への電力の供給制御処理とを行う。ＣＰＵ４４は，例えば，一次電源からの電力が遮断状態から回復した場合における，ＭＦＰ１００の電力供給状態を判断する処理を含む電源回復処理を実行する。ＣＰＵ４４は，判断部及び制御部の一例である。
【００３３】
ネットワークインターフェース３７は，ネットワークに接続される。ＭＦＰ１００は，このネットワークインターフェース３７を介して他の情報処理装置（不図示。例えば，コンピュータ）とのデータ通信が可能になっている。また，ＵＳＢインターフェース３８は，ＵＳＢ接続が可能な周辺機器（不図示。例えば，フラッシュメモリ）に接続される。ＭＦＰ１００は，このＵＳＢインターフェース３８を介して外部の周辺機器等とデータ通信が可能になっている。
【００３４】
ＡＳＩＣ３０にはさらに，図２において一点鎖線で示すように，キャパシタ３６から電力の供給を受ける電力供給エリア４９が設けられている。電力供給エリア４９は，一次電源からの電力供給が遮断されても，しばらくの間は，キャパシタ３６からの電力の供給を受けることができる。電力供給エリア４９には，簡便にデータの入出力が容易なバックアップ領域４８，および，電源スイッチ４５へのユーザによる操作を検知するキーセンサ４６等が設けられている。バックアップ領域４８は，記憶部あるいは第２記憶部の一例である。
【００３５】
低圧電源ユニット５は，プラグ５１と電気的に接続し，プラグ５１を介して一次電源からの電力供給を受ける。そして，一次電源からの電力を各部の動作に必要な動作電力に適切に変換して，メイン基板３，操作パネル４０，定着ヒータ１３，画像形成部１，画像読取部２のそれぞれへ供給する。低圧電源ユニット５は，供給部の一例である。
【００３６】
低圧電源ユニット５には，複数の切替スイッチ５３，５４，５５，５６，５７が設けられている。切替スイッチ５３〜５７は，それぞれ，ＡＳＩＣ３０のＣＰＵ４４によって切替制御される。つまり，ＣＰＵ４４は，切替スイッチ５３〜５７のオンまたはオフを切り替えることによって，低圧電源ユニット５によるＭＦＰ１００の各構成要素への電力の供給の制御を行う。低圧電源ユニット５は，ＣＰＵ４４によってオンされた切替スイッチに接続されている供給先へ，選択的に動作電力を供給する。
【００３７】
切替スイッチ５３は，低圧電源ユニット５からメイン基板３への電力の供給をオンまたはオフするためのスイッチである。切替スイッチ５４は，低圧電源ユニット５から操作パネル４０への電力の供給をオンまたはオフするためのスイッチである。切替スイッチ５５は，低圧電源ユニット５から定着器の定着ヒータ１３への電力の供給をオンまたはオフするためのスイッチである。
【００３８】
なお，定着ヒータ１３は，機能的には画像形成部１の一部であるが，消費電力が大きく，単独でオンまたはオフできることが好ましい。そのため，電源構成上は，定着ヒータ１３以外の画像形成部１と定着ヒータ１３とは，別々の経路が設けられている。定着ヒータ１３は，入出力部及び印刷部の一例である。
【００３９】
切替スイッチ５６は，低圧電源ユニット５から画像形成部１への電力の供給をオンまたはオフするためのスイッチである。切替スイッチ５７は，低圧電源ユニット５から画像読取部２への電力の供給をオンまたはオフするためのスイッチである。各切替スイッチ５４，５５，５６，５７と電力供給される各部材とは，それぞれ供給回路６１，６２，６３，６４を介して接続されている。
【００４０】
低圧電源ユニット５は，図２に示すように，判断回路５８とＲＡＭ５９とを備えている。判断回路５８は，ＲＡＭ５９に特定の値が記憶されているか否かに基づいて，低圧電源ユニット５からメイン基板３への電力の供給状態を切り替える。つまり，判断回路５８は，ＲＡＭ５９に特定の値が記憶されていることを条件に，切替スイッチ５３をオフにする回路である。判断回路５８は，ＲＡＭ５９に特定の値が記憶されていない場合には，切替スイッチ５３をオンにする。ＲＡＭ５９は，揮発性であり，ＣＰＵ４４によって前述の特定の値の書き込みを受ける。
【００４１】
なお，前述したように，電源スイッチ４５へのユーザ操作は，電力供給エリア４９に備えられたキーセンサ４６が検知している。従って，切替スイッチ５３のオフによってメイン基板３への電力の供給が遮断されていても，キーセンサ４６は機能している。さらに，図２中に破線の矢印で示したように，キーセンサ４６は，ユーザによる電源スイッチ４５の押下を検知したら，低圧電源ユニット５へ電気的な信号を送信する。従って，メイン基板３への電力の供給が遮断されていても，電源スイッチ４５へのユーザ操作があれば，低圧電源ユニット５へ信号が送信される。
【００４２】
［電力供給状態］
次に，図３と図４とを参照して，ＭＦＰ１００における複数の電力供給状態と，それぞれの状態における各切替スイッチの接続状況を説明する。ＭＦＰ１００に対する電力供給状態には，図３と図４に示すように，電源オン状態７１，電源オフ状態７２，一次電源遮断状態７３の３つの状態がある。
【００４３】
図３は，ＭＦＰ１００の電力供給状態および動作モードと，それらの相互の移行方向を示す説明図である。図４は，各電力供給状態および動作モードにおける電力の供給状況および切替スイッチの設定をまとめて示す説明図である。図４中の「○」は，電力の供給が行われている，あるいは，切替スイッチがオンであることを示している。図４中の「×」は，電力の供給が行われていない，あるいは，切替スイッチがオフであることを示している。
【００４４】
一次電源遮断状態７３は，プラグ５１の引き抜きや商用電力の停電等により一次電源からの電力の供給が遮断されている状態である。従って，低圧電源ユニット５やメイン基板３への電力の供給も遮断されている。一次電源遮断状態７３は，一次電源からの電力の供給が再開しない限り動作が不可能な状態である。ただし，一次電源からの電力の供給が遮断されてからの経過時間が短く，キャパシタ３６（図２参照）に電荷が残存している間は，限定的な動作が可能である。
【００４５】
電源オフ状態７２は，一次電源からの電力の供給は受けているものの電源スイッチ４５以外の機能はすべて停止している状態である。電源オフ状態７２では，図４に示すように，低圧電源ユニット５は電力の供給を受けており，切替スイッチ５３〜５７はすべてオフとなっている。電源オフ状態７２では，キャパシタ３６への電荷の補充は行われており，キャパシタ３６から電力供給エリア４９へ電力が供給されている。従って，電源オフ状態７２は，電力供給エリア４９に設けられている回路部分は動作可能な状態である。電源スイッチ４５のキーセンサ４６は電力供給エリア４９に設けられているので，電源オフ状態７２において，電源スイッチ４５の押下は受け付けられる。
【００４６】
電源オン状態７１は，一次電源からの電力の供給を受けているとともに，低圧電源ユニット５もメイン基板３も電力の供給を受けている状態である。電源オン状態７１は，図３に示すように，通常状態７５と省電力状態７６とを含む。通常状態７５は，ＭＦＰ１００のほとんどの箇所に電力が供給され，ユーザの指示を受ければ直ちに画像処理動作が可能な状態である。一方，省電力状態７６は，消費電力が大きい部材への電力の供給を遮断し，電力消費量を抑えた状態である。
【００４７】
［電源オン状態の動作モード］
さらに，ＭＦＰ１００は，電源オン状態７１において，図３と図４に示すように，各種の動作モードを有している。そして，ＣＰＵ４４は，動作モード毎に，電力の供給を受ける供給先を切り替える。具体的には，ＣＰＵ４４は，切替スイッチ５３〜５７の切替によって，動作モードを変更する。動作モードとしては，例えば，通常状態７５に処理実行モード８１と待機モード８２とが，省電力状態７６にスリープモード８３とディープスリープモード８４とがある。これら以外のモードもさらにあってもよい。
【００４８】
処理実行モード８１は，ユーザからの指示に従って，実際に画像処理を実行中のモードである。処理実行モード８１では，処理の実行に必要な箇所すべてに，電力が供給されている。待機モード８２は，ユーザからの指示待ち状態中のモードである。待機モード８２では，例えば，定着ヒータ１３の温度が，処理実行中に比較して，やや低い温度に設定される。また例えば，原稿や印刷用紙を搬送する搬送部材は，処理実行モード８１では必要に応じて駆動されるが，待機モード８２では駆動されない。処理実行モード８１と待機モード８２とを含む通常状態７５では，切替スイッチ５３〜５７はすべてオンになっている。
【００４９】
スリープモード８４は，ＭＦＰ１００のうち，消費電力の大きい構成要素に電力を供給しない省電力のためのモードである。例えば，スリープモード８４では，ＣＰＵ４４は，定着ヒータ１３への電力の供給を停止する。スリープモード８４では，切替スイッチ５５はオフ，切替スイッチ５３，５４，５６，５７はオンになっている。
【００５０】
ディープスリープモード８５は，操作パネル４０への操作入力のみを受け付けるモードである。ディープスリープモード８５では，切替スイッチ５５，５６，５７はオフ，切替スイッチ５３，５４はオンになっている。従って，ディープスリープモード８５では，低圧電源ユニット５は，操作パネル４０への入力を検出する部分に電力を供給するが，画像形成部１，画像読取部２，定着ヒータ１３には電力を供給しない。ディープスリープモードでは，低圧電源ユニット５は，インターフェース３７，３８へも電力を供給し，インターフェース３７，３８への入力を受け付けるようにしてもよい。
【００５１】
スリープモード８４とディープスリープモード８５とはいずれも，省電力状態７６の動作モードであり，省電力モードの一例である。なお，省電力状態７６には，スリープモード８４とディープスリープモード８５以外に，定着ヒータ１３に加えて消費電力の大きい他の構成要素（例えば，イメージセンサ）を，選択的に電力供給先から除外する動作モードが，さらに設けられていてもよい。
【００５２】
［状態の移行］
続いて，各電力供給状態間および各動作モード間の移行について説明する。ＣＰＵ４４は，ＭＦＰ１００の電力供給状態が別の状態へ移行する際には，移行前または移行後のいずれかに，移行後の電力供給状態を示す情報を，バックアップ領域４８とＥ２ＰＲＯＭ３５との両方に書き込む。ＣＰＵ４４が書き込む電力供給状態を示す情報は，少なくとも，電源オン状態７１と電源オフ状態７２とを区別する情報である。
【００５３】
ＣＰＵ４４は，電源オン状態７１から電源オフ状態７２へと移行する際には移行前に，電源オフ状態７２から電源オン状態７１へと移行する際には移行後に，移行後の電力供給状態を示す情報を書き込む。ＭＦＰ１００の電力供給状態が別の状態へ移行する際に，移行後の電力供給状態を示す情報を書き込む処理を行うとき，ＣＰＵ４４は移行書込部の一例である。
【００５４】
電源オフ状態７２では，図４に示したように，メイン基板３は，電力の供給を受けていない。電源オフ状態７２において電源スイッチ４５が押下されると，電力供給エリア４９のキーセンサ４６が，電源スイッチ４５の押下を検出して，低圧電源ユニット５に電源スイッチ４５の押下を示す信号を送信する。電源スイッチ４５の押下を示す信号により，低圧電源ユニット５の切替スイッチ５３がオンに切り替えられ，低圧電源ユニット５からメイン基板３への電力の供給が開始される。これにより，ＡＳＩＣ３０のＣＰＵ４４は，電力の供給を受ける。
【００５５】
そして，ＣＰＵ４４に電力が供給された後，ＣＰＵ４４は，電源オン処理を実行する。電源オン処理は，画像形成部１や画像読取部２の初期設定および消耗品の残量のチェックなどを含むＭＦＰ１００の開始処理である。電源オン処理が終了したら，ＭＦＰ１００は，ユーザからの実行指示を受けていない限り，一旦，待機モードとなる。
【００５６】
これにより，ＭＦＰ１００は，図３の矢印９１に示すように，電源オフ状態７２から電源オン状態７１の通常状態７５へと移行する。さらに，ＣＰＵ４４は，電源オン状態７１において，バックアップ領域４８とＥ２ＰＲＯＭ３５との両方に電源オン状態７１を示す情報，例えば，待機モード８２を示す情報を書き込む。
【００５７】
電源オン状態７１から電源オフ状態７２への移行は，電源オン状態７１において電源スイッチ４５が押下された場合に，ＣＰＵ４４が実行する（図３の矢印９２）。電源オン状態７１で電源スイッチ４５が押下された場合，ＣＰＵ４４は，各種の設定情報を待避させるとともに，各部への電力の供給を適切な順序で遮断する。さらに，ＣＰＵ４４は，電源オフ状態７２を示す情報をバックアップ領域４８とＥ２ＰＲＯＭ３５との両方に記憶してから，自身への電力の供給を遮断する。すなわち，ＣＰＵ４４は，電源オフ状態７２へ移行する処理の最後に，ＣＰＵ４４を搭載するＡＳＩＣ３０を含むメイン基板３への電力の供給を遮断するために，切替スイッチ５３をオフとする。
【００５８】
［電源オン状態における動作モードの移行］
電源オン状態７１ではＭＦＰ１００は，ユーザによる操作パネル４０への操作，外部からのデータ受信，または時間の経過等を条件として，前述の複数の動作モードの間で動作モードを移行する。一定の条件を満たすことで，ＭＦＰ１００の動作モードは，図３に各矢印９３〜９７で示すように移行する。さらにＣＰＵ４４は，動作モードが移行するときには，移行後の動作モードにおいて必要な供給先へ電力が供給されるように，低圧電源ユニット５の各切替スイッチ５３〜５６のオンとオフとを切り替える。
【００５９】
例えば，待機モード８２において，ユーザによる指示の入力を受けない状態があらかじめ決めた第１の待機時間を超えて継続すると，ＭＦＰ１００は，図３の矢印９３に示すように，省電力状態７６となる。また，省電力状態７６のスリープモード８４において，ユーザによる指示の入力を受けない状態があらかじめ決めた第２の待機時間を超えて継続すると，ＭＦＰ１００は，図３の矢印９４に示すように，ディープスリープモード８５へ移行する。
【００６０】
また，スリープモード８４またはディープスリープモード８５の省電力状態７６において，例えば，ボタン群４１等へのユーザによる入力を受けると，ＭＦＰ１００は，図３の矢印９５に示すように，処理実行モード８１あるいは待機モード８２の通常状態７５へ移行する。さらに，待機モード８２においてユーザの操作により画像処理等の指示を受けると，ＭＦＰ１００は，図３の矢印９６に示すように，待機モード８２から処理実行モード８１へ移行する。そして，ＭＦＰ１００は，ユーザの指示に基づいて，画像処理を行う。指示された画像処理が終了したら，ＭＦＰ１００は，図３の矢印９７に示すように，処理実行モードから待機モード８２へ移行する。
【００６１】
さらに，ＣＰＵ４４は，電源オン状態７１において動作モードが移行する際には，移行前または移行後のいずれかに，移行後の動作モードを示す情報を電源オン状態７１であることを示す情報とともに，バックアップ領域４８とＥ２ＰＲＯＭ３５との両方に書き込む。ＭＦＰ１００の動作モードが移行する際に，移行後の動作モードを示す情報を書き込む処理を行うとき，ＣＰＵ４４は移行書込部の一例である。
【００６２】
［一次電源の遮断］
ＭＦＰ１００は，電源オン状態７１においても，電源オフ状態７２においても，プラグ５１が商用電力のソケット等から引き抜かれたり，商用電力が停電したりすると，一次電源遮断状態７３に移行する（図３の矢印９８，９９）。一次電源からの電力供給を遮断された状態では，ＭＦＰ１００は，いずれの箇所へも電力の供給は受けていない（図４参照）。つまり，一次電源が遮断されると，低圧電源ユニット５への商用電力の供給もなされないので，ＭＦＰ１００は，電源スイッチ４５の操作も受け付けない。
【００６３】
前述したように，キャパシタ３６（図２参照）は，電荷を蓄えることができるので，一次電源からの電力の供給が遮断されても，限定的に予備電源として機能することができる。従って，キャパシタ３６に電荷がある間は，バックアップ領域４８に記憶されている情報は保持される。
【００６４】
ただし，一次電源が遮断されている状態では，キャパシタ３６への電荷の補充は行われない。そのため，一次電源が遮断されてから，所定の時間が経過すると，キャパシタ３６は，電力供給エリア４９へ電力を供給できなくなるため，予備電源としての機能を失う。キャパシタ３６が予備電源としての機能を失った後は，バックアップ領域４８に記憶されていた情報は失われる。一方，Ｅ２ＰＲＯＭ３５は，不揮発性であるので，一次電源が長時間遮断したとしても，その記憶情報は保持されている。
【００６５】
［一次電源の回復］
例えば，ユーザは，ＭＦＰ１００をＹ地点からＺ地点に移動させるとする。この場合，ユーザは，ＭＦＰ１００を移動させるため，プラグ５１を商用電力のソケットから引き抜くので，ＭＦＰ１００は，一次電源からの電力供給が遮断された状態となる。そして，ユーザは，ＭＦＰ１００を持ち上げＹ地点からＺ地点に移動させ，Ｚ地点においてプラグ５１を商用電力のソケットに挿入することで，ＭＦＰ１００は一次電源からの電力供給が遮断された状態から一次電源からの電力供給がされる状態へと回復する。
【００６６】
しかしながら，従来のＭＦＰは，一次電源からの電力供給が遮断された状態から一次電電源からの電力供給がなされる状態へと回復すると，通常状態に移行するように制御されていた。このため，従来のＭＦＰは，Ｙ地点に従来のＭＦＰが設置されているときは，電源オフ状態であったとしても，Ｚ地点に従来のＭＦＰが設置された場合には，通常状態に復帰することになる。従来のＭＦＰをＹ地点からＺ地点に移動させた後も，従来のＭＦＰに電源オフ状態を維持して欲しいと望むユーザは，通常状態から電源オフ状態に従来のＭＦＰを移行させるため，電源スイッチ４５を押下しなければならず，ユーザに負担がかかった。
【００６７】
また，従来のＭＦＰは，停電により一次電源からの電力供給が遮断された状態となった場合も同様に，停電前に電源オフ状態であったとしても，停電から復帰した時には通常状態に移行する。このため，従来のＭＦＰに電源オフ状態を維持して欲しいと望むユーザには，同様に負担がかかった。
【００６８】
これに対し本形態のＭＦＰ１００は，一次電源からの電力供給が遮断された状態から一次電源からの電力供給がなされる状態へと回復した際に，一次電源からの電力供給が遮断される前と同じ状態を維持することができるように処理を行う。以下，ＭＦＰ１００の処理を詳細に説明する。
【００６９】
一次電源からの電力供給が，遮断された状態から回復すると，まず低圧電源ユニット５に商用電力が供給される。低圧電源ユニット５のＲＡＭ５９（図２参照）は揮発性なので，一次電源からの電力供給が遮断されたことにより，ＲＡＭ５９の記憶内容は失われている。つまり，ＲＡＭ５９に特定の値は記憶されていないので，判断回路５８は，切替スイッチ５３をオンにする。従って，低圧電源ユニット５は，メイン基板３に電力を供給する。これにより，ＣＰＵ４４の動作が可能になる。
【００７０】
ＣＰＵ４４は，一次電源遮断状態７３から一次電源からの電力供給が回復したときに，後述する電源回復処理を実行する。ＣＰＵ４４は，電源回復処理を実行することにより，回復後の電力供給状態を判断し，ＭＦＰ１００を判断した電力供給状態に移行させる。ＣＰＵ４４は，回復後の電力供給状態として，少なくとも，電源オン状態７１と電源オフ状態７２とのうちからいずれかを選択する。つまり，一次電源からの電力供給が回復したとき，ＣＰＵ４４は，図３中に破線で示した矢印Ａまたは矢印Ｂのいずれへ進むかを判断する。
【００７１】
［電源回復処理］
次に，ＣＰＵ４４が実行する電源回復処理について，図５のフローチャートを参照して説明する。この処理は，一次電源からの電力の供給が遮断されている状態から，一次電源からの電力供給が回復したことを契機に実行される。
【００７２】
電源回復処理を開始すると，ＣＰＵ４４は，まず，バックアップ領域４８から一次電源からの電力の供給が遮断される前の電力供給状態を示す情報を読み出す（Ｓ１０１）。そして，ＣＰＵ４４は，Ｓ１０１で読み出した情報が不定値であるか否かを判断する（Ｓ１０３）。
【００７３】
前述のように，電力供給状態および動作モードを移行させる際には，ＣＰＵ４４は，バックアップ領域４８とＥ２ＰＲＯＭ３５との両方に，移行後の電力供給状態および動作モードの情報を書き込んでいる。従って，キャパシタ３６による電力の供給が停止していなければ，バックアップ領域４８には，一次電源からの電力供給が遮断される前の電力供給状態および動作モードの情報が残されている。しかし，キャパシタ３６の電荷を使い果たして，電力供給が停止すると，バックアップ領域４８の記憶内容が不定値となる。例えば，一次電源からの電力供給が遮断してからの経過時間が長い場合には，バックアップ領域４８の記憶内容が不定値となっている可能性が高い。
【００７４】
そこで，ＣＰＵ４４は，Ｓ１０１で読み出した情報が不定値でなければ（Ｓ１０３：Ｎｏ），読み出した情報に基づいて，一次電源からの電力の供給が遮断される前の電力供給状態が電源オフ状態７２であったか否かを判断する（Ｓ１０７，判断部の一例）。つまり，一次電源からの電力供給が遮断される前の電力供給状態および動作モードの情報を適切に読み出すことができたならば，ＣＰＵ４４は，読み出した情報をＳ１０７の判断に用いる。そして，ＣＰＵ４４は，一次電源の遮断前に電源オン状態７１であったのか電源オフ状態７２であったのかを判断する。
【００７５】
あるいは，Ｓ１０１で読み出した情報が不定値であれば（Ｓ１０３：Ｙｅｓ），ＣＰＵ４４は，Ｅ２ＰＲＯＭ３５から，一次電源からの電力供給が遮断される前の電力供給状態の情報を読み出す（Ｓ１０５）。Ｅ２ＰＲＯＭ３５は不揮発性メモリであるので，ＣＰＵ４４は，確実に情報を読み出すことができる。続いて，ＣＰＵ４４は，Ｓ１０５で読み出した情報を，バックアップ領域４８へ書き込む（Ｓ１０６）。
【００７６】
Ｓ１０６の後，ＣＰＵ４４は，Ｓ１０１に戻ってバックアップ領域４８から情報を読み出す。Ｓ１０６において情報を書き込んでいるので，Ｓ１０１において読み出される情報は不定値ではない（Ｓ１０３：Ｎｏ）。従って，Ｓ１０７へ進み，Ｓ１０１で読み出した情報に基づいて，一次電源の遮断前の電力供給状態を判断する（Ｓ１０７）。なお，ＣＰＵ４４は，バックアップ領域４８に書き込むことなく，Ｅ２ＰＲＯＭ３５から読み出した情報をそのまま用いてＳ１０７の判断を行うこととしてもよい。
【００７７】
なお，Ｅ２ＰＲＯＭ３５からの情報の読み出しを行うためには，ＣＰＵ４４は，メモリのサイズ判定等の初期動作が必要である。そのため，Ｅ２ＰＲＯＭ３５からの読み出しは，バックアップ領域４８からの読み出しに比較して，時間がかかる処理である。そこで，バックアップ領域４８に情報が残っていれば，ＣＰＵ４４は，バックアップ領域４８に残っている情報を優先的に使用することにより，処理時間を短縮することができる。
【００７８】
つまり，ＣＰＵ４４は，Ｅ２ＰＲＯＭ３５とバックアップ領域４８との両方に電力供給状態を示す情報を書き込み，バックアップ領域４８に残っている情報を優先的に使用する。従って，Ｅ２ＰＲＯＭ３５が記憶部の一例であるとともに，バックアップ領域４８が第２記憶部の一例である。
【００７９】
ＣＰＵ４４は，Ｓ１０７において，一次電源からの電力供給が遮断される前の電力供給状態が電源オフ状態７２であったと判断した場合には（Ｓ１０７：Ｙｅｓ），ＣＰＵ４４は，低圧電源ユニット５のＲＡＭ５９に特定の値を書き込み，切替スイッチ５３をオフにする（制御部の一例）。これにより，メイン基板３への電力の供給が遮断され，ＭＦＰ１００は電源オフ状態７２となる（Ｓ１０９）。なお，ＣＰＵ４４は，切替スイッチ５４〜５７もオフにする。ＭＦＰ１００が電源オフ状態７２になることにより，電源回復処理は終了する。
【００８０】
一方，Ｓ１０７にて，電源オフ状態７２を示す情報でなかったと判断した場合には（Ｓ１０７：Ｎｏ），ＣＰＵ４４は，ＭＦＰ１００の電源供給状態を電源オン状態７１へ移行させる（Ｓ１１１）。つまり，Ｓ１０７でＮｏであれば，ＣＰＵ４４は，低圧電源ユニット５のＲＡＭ５９に特定の値を書き込むことをせず，切替スイッチ５３をオンのままとする。従って，メイン基板３への電力の供給は継続する。
【００８１】
ＣＰＵ４４は，電源オン状態７１とする場合には，Ｓ１０７における判断結果に基づいて，一次電源からの電力供給が遮断される前のＭＦＰ１００の動作モードへ移行する動作モード移行処理を実行する（Ｓ１１２）。移行処理が終了したら，電源回復処理は終了する。これで，電源回復処理の説明を終了する。
【００８２】
次に，図６と図７とを参照して，動作モード移行処理について説明する。ＣＰＵ４４は，図５のＳ１１２に進んだ場合には，バックアップ領域４８に書き込まれている動作モードとなるように，切替スイッチ５４〜５７の切替制御を行う。なお，ＣＰＵ４４がＳ１０１で読み出す情報には，動作モードについての内容も含まれている。
【００８３】
ＣＰＵ４４は，動作モード移行処理を開始するとまず，図６の動作モード移行処理（１）を実行する。そして，ＣＰＵ４４は，図５のＳ１０１で読み出した，一次電源からの電力供給が遮断される前のＭＦＰ１００の動作モードが，省電力状態７６であったか否かを判断する（Ｓ２０１）。
【００８４】
ＣＰＵ４４は，Ｓ２０１において，省電力状態７６であったと判断した場合には（Ｓ２０１：Ｙｅｓ），定着ヒータ１３への電力の供給を行わないように切替スイッチ５５をオフのままとする。また，ＣＰＵ４４は，切替スイッチ５４，５６，５７をオンに切り替える。これにより，ＭＦＰ１００は，消費電力を抑えた省電力状態７６となる。従って，電源オン処理の後，必ず待機モードとなってしまうということはなく，消費電力の低減が期待できる。この場合には，これで動作モード移行処理を終了する。
【００８５】
ＣＰＵ４４は，Ｓ２０１において，省電力状態７６でなかったと判断した場合には（Ｓ２０１：Ｎｏ），切替スイッチ５４，５５，５６，５７をオンに切り替える。つまりすべての切替スイッチをオンとする。これにより，ＭＦＰ１００は，省電力状態７６ではない，通常状態７５となる。この場合には，これで動作モード移行処理を終了する。
【００８６】
なお，通常状態のおける動作モードとして，画像形成部１および画像読取部２に対する電力の供給の有無に応じて別のモードを有している場合には，さらに詳細なモード移行処理を行うことができる。別のモードを有している場合とは，バックアップ領域４８に書き込まれている情報から，一次電源の遮断前のＭＦＰ１００における，画像形成部１への電力の供給の有無と，画像読取部２への電力の供給の有無とがそれぞれ判断できる場合である。この場合には，ＣＰＵ４４は，Ｓ２０５に続いてさらに，図７に示す動作モード移行処理（２）を実行する。
【００８７】
ＣＰＵ４４は，図７に示す動作モード移行処理（２）を開始するとまず，図５のＳ１０１で読み出した，一次電源の遮断前のＭＦＰ１００の動作モードが，画像形成部１への電力の供給を行うモードであったか否かを判断する（Ｓ３０１）。ＣＰＵ４４は，画像形成部１への電力の供給を行うモードであったと判断した場合には（Ｓ３０１：Ｙｅｓ），何もしないでＳ３０６へ進む。この場合には，切替スイッチ５３〜５７はすべてオンのままとなる。
【００８８】
また，ＣＰＵ４４は，画像形成部１への電力の供給を行わないモードであったと判断した場合には（Ｓ３０１：Ｎｏ），切替スイッチ５５，５６をオフとする（Ｓ３０４）。つまり，ＣＰＵ４４は，画像形成処理のための部材への電力の供給を遮断する。この場合には，切替スイッチ５３，５４，５７はオン，切替スイッチ５５，５６はオフとなる。
【００８９】
次に，ＣＰＵ４４は，一次電源の遮断前のＭＦＰ１００の動作モードが，画像読取部２への電力の供給を行うモードであったか否かを判断する（Ｓ３０６）。ＣＰＵ４４は，画像読取部２への電力の供給を行うモードであったと判断した場合には（Ｓ３０６：Ｙｅｓ），何もしないで動作モード移行処理（２）を終了する。この場合には，各切替スイッチ５３〜５７は，Ｓ３０６の前に設定された状態のままとなる。
【００９０】
また，ＣＰＵ４４は，画像読取部２への電力の供給を行わないモードであったと判断した場合には（Ｓ３０６：Ｎｏ），切替スイッチ５７をオフとする。この場合には，Ｓ３０１はＹｅｓであったはずなので，切替スイッチ５３，５４，５５，５６はオン，切替スイッチ５７はオフとなる。そして，動作モード移行処理（２）を終了する。これで動作モード移行処理の説明を終了する。
【００９１】
以上詳細に説明したように，本形態のＭＦＰ１００は，一次電源から電力が供給されている間の電力供給状態を複数有している。そして，電力供給状態が移行するときには，移行後の電力供給状態が，バックアップ領域４８とＥ２ＰＲＯＭ３５とに記憶される。また，電源オン状態７１において，動作モードが移行するときには，ＣＰＵ４４は，移行後の動作モードをバックアップ領域４８とＥ２ＰＲＯＭ３５とに記憶する。従って，バックアップ領域４８とＥ２ＰＲＯＭ３５とには，一次電源からの電力供給が継続されている間は，常に最新の電力供給状態および動作モードの情報が記憶されている。
【００９２】
そして，ＭＦＰ１００の一次電源からの電力供給が遮断された後，回復した際には，ＣＰＵ４４は，バックアップ領域４８とＥ２ＰＲＯＭ３５との少なくとも一方に記憶されている電力供給状態および動作モードの情報を読み出す。さらに，ＣＰＵ４４は，読み出した情報に基づいて，電力の供給先を判断する。従って，一次電源からの電力供給が遮断される前の電力供給状態を再現することができる。
【００９３】
なお，本実施の形態は単なる例示にすぎず，本発明を何ら限定するものではない。したがって本発明は当然に，その要旨を逸脱しない範囲内で種々の改良，変形が可能である。例えば，ＭＦＰに限らず，複写機，スキャナ，ＦＡＸ等の画像処理機能を有するものであれば適用可能である。また，インクジェット方式の画像形成部を有する装置にも適用可能である。
【００９４】
また例えば，上記の実施の形態では，電力供給状態や動作モードが移行したときに，移行後の状態を示す情報をバックアップ領域４８とＥ２ＰＲＯＭ３５との両方に記憶するとしたが，これに限るものではない。例えば，バックアップ領域４８は無くてもよい。バックアップ領域４８が無い場合には，ＣＰＵ４４は，電力供給状態および動作モードの情報をＥ２ＰＲＯＭ３５に書き込み，Ｅ２ＰＲＯＭ３５から読み出す。
【００９５】
また例えば，Ｅ２ＰＲＯＭ３５への書き込みを行わないとしてもよい。この場合，少なくともバックアップ領域４８に情報が残っている間はその情報に基づいて，遮断時の電力供給状態を判断する。このようにしても，短時間の停電等であれば，ＭＦＰ１００は，元の状態に戻ることができる。
【００９６】
また例えば，ＣＰＵ４４は，電力供給状態や動作モードの情報をモードの移行時に書き込む代わりに，定期的に書き込むようにしてもよい。その場合には，ＣＰＵ４４は，その時点におけるモードの情報を，バックアップ領域４８とＥ２ＰＲＯＭ３５との両方，あるいは，Ｅ２ＰＲＯＭ３５のみに書き込む。定期的に書き込む処理を行うとき，ＣＰＵ４４は，定期書込部の一例である。
【００９７】
また例えば，上記の実施の形態では，電力供給状態および動作モードの情報をバックアップ領域４８とＥ２ＰＲＯＭ３５との両方に記憶するとした。しかし，一次電源からの電力供給が継続している間は，ＣＰＵ４４は，Ｅ２ＰＲＯＭ３５にのみ情報を書き込むこととしてもよい。この場合のＣＰＵ４４は，一次書込部の一例である。
【００９８】
Ｅ２ＰＲＯＭ３５にのみ情報を書き込む場合には，さらに，一次電源からの電力供給が遮断されたことを検知する検知回路と，Ｅ２ＰＲＯＭ３５に記憶されている情報をバックアップ領域４８へコピーするコピー回路とを有することが好ましい。コピー回路は，キャパシタ３６の電力を使用してコピーできるものであるとよい。そして，一次電源からの電力供給が遮断されたことを検知回路が検知したら，直ちに，コピー回路が，Ｅ２ＰＲＯＭ３５に記憶されている情報をバックアップ領域４８へコピーする。このようにすれば，毎回両方に書き込むよりは，処理が簡単なものとなる。この場合には，検知回路が検知部の一例であり，コピー回路が二次書込部の一例である。
【００９９】
また，上記の実施の形態では，電源オン状態７１中で動作モードが移行したときにも，ＣＰＵ４４は，移行後の動作モードを示す情報を記憶するとしたが，少なくとも電力供給状態（電源オン状態７１または電源オフ状態７２）を記憶すればよい。つまり，ＣＰＵ４４は，電力供給状態が移行するときに移行後の電力供給状態を記憶するのみとしてもよい。この場合には，電源オン状態７１であった場合には，一旦待機モードに戻ることとすればよい。
【０１００】
また例えば，各切替スイッチ５３〜５７の数や分担は，上記の形態に示した構成に限らない。上記の実施の形態では，画像形成部１への電力の供給を切り替える切替スイッチ５と，画像読取部２への電力の供給を切り替える切替スイッチ５７とを別に設けるとしたが，これらをともに切り替える１つの切替スイッチとしてもよい。あるいは，より多くのスイッチを備えて，より詳細に制御できる構成としてもよい。
【０１０１】
また例えば，電源オフ状態７２の中に，電源スイッチ４５だけでなく操作パネル４０への押下をも受けつける状態がさらに設けられていてもよい。
【０１０２】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【０１０３】
１  画像形成部
２  画像読取部
３  メイン基板
５  低圧電源ユニット
１３  定着ヒータ
３５  Ｅ２ＰＲＯＭ
３６  キャパシタ
４４  ＣＰＵ
４８  バックアップ領域
６１  供給回路
【図１】
2014024302.tif 000003
【図２】
2014024302.tif 000004
【図３】
2014024302.tif 000005
【図４】
2014024302.tif 000006
【図５】
2014024302.tif 000007
【図６】
2014024302.tif 000008
【図７】
2014024302.tif 000009